(57)【要約】【課題】  携帯電話への着信時に、着信音がハンズフリー装置へ転送されるか否かを判断し、着信音が転送されない場合には、ハンズフリー装置内で着信音を生成し、着信を通報するようにしたハンズフリー装置を得る。【解決手段】  Ｂｌｕｅｔｏｏｔｈ通信制御部１４により制御され、携帯電話との間のＢｌｕｅｔｏｏｔｈ通信によりハンズフリー接続し、携帯電話に着信があった場合に、Ｂｌｕｅｔｏｏｔｈ通信を介して携帯電話から着信音が転送されるかどうかを着信音転送判定部１５により判定し、この判定結果、携帯電話から着信音が転送されない場合には、着信音生成部１６により、不揮発性メモリに格納された着信音を読出すことにより着信音を生成して、これをデジタルアナログ変換して、スピーカ２０から出力するようにした。【選択図】図１
2005303834.tif 000002
【特許請求の範囲】
【請求項１】
携帯電話と無線通信により接続され、上記携帯電話を介して上記携帯電話の通信相手との間で音声入力手段及び音声出力手段を用いてハンズフリー通話を行うハンズフリー装置において、上記携帯電話との間の無線通信を制御する通信手段、上記携帯電話と上記無線通信により接続されている状態で、上記携帯電話に着信があった場合に、上記通信手段を介して上記携帯電話から着信音が転送されるかどうかを判定する着信音転送判定手段、及びこの着信音転送判定手段の判定結果に応じて着信音を生成して出力する着信音生成手段を備えたことを特徴とするハンズフリー装置。
【請求項２】
上記着信音生成手段により生成された着信音の音量調節を行う音量調節手段を備えたことを特徴とする請求項１のハンズフリー装置。
【請求項３】
上記着信音生成手段は、ブザー、音声、音響及び音楽のいずれかを着信音として生成することを特徴とする請求項１または請求項２記載のハンズフリー装置。
【発明の詳細な説明】
【技術分野】
【０００１】
この発明は、携帯電話との間のＢｌｕｅｔｏｏｔｈによる通信を制御する通信手段を有し、音声入力手段及び音声出力手段を用いてハンズフリー通話を行うハンズフリー装置に関するものである。
【背景技術】
【０００２】
従来の携帯電話との間のＢｌｕｅｔｏｏｔｈによる通信を制御する通信手段を有するハンズフリー装置においては、携帯電話から転送されてくる着信音を、スピーカから出力し、着信をユーザに通報している。このＢｌｕｅｔｏｏｔｈは、パソコン、携帯電話、周辺機器などの間を、狭い範囲の無線通信により接続する無線伝送方式であり、デバイスを問わないデータ交換を実現するインターフェイスとして期待されているものである。
また、特許文献１に示されたハンズフリーシステムでは、携帯電話の着信をＬＥＤに表示して、ユーザに知らせるようになっていた。
【０００３】
【特許文献１】特開２００２−１７６４８７号公報（第２〜７頁、図１）
【発明の開示】
【発明が解決しようとする課題】
【０００４】
しかし、すべての携帯電話が着信音をハンズフリー装置へ転送するわけではなく、着信音を転送しない携帯電話もある。このため、着信音を転送しない携帯電話への着信時には、着信音が出力されないため、音による着信の通報を行うことができない。例えば、車内で利用する場合、運転に集中しているため、音による着信がなく、また、特許文献１のような表示器への着信表示のみでは気付くことができず、着信を見落としてしまうという問題があった。
【０００５】
この発明は、上述のような課題を解決するためになされたものであり、携帯電話への着信時に、着信音がハンズフリー装置へ転送されるか否かを判断し、着信音が転送されない場合には、ハンズフリー装置内で着信音を生成し、着信を通報するようにしたハンズフリー装置を得ることを目的とする。
【課題を解決するための手段】
【０００６】
この発明に係わるハンズフリー装置においては、携帯電話と無線通信により接続され、携帯電話を介して携帯電話の通信相手との間で音声入力手段及び音声出力手段を用いてハンズフリー通話を行うハンズフリー装置において、携帯電話との間の無線通信を制御する通信手段、携帯電話と無線通信により接続されている状態で、携帯電話に着信があった場合に、通信手段を介して携帯電話から着信音が転送されるかどうかを判定する着信音転送判定手段、及びこの着信音転送判定手段の判定結果に応じて着信音を生成して出力する着信音生成手段を備えたものである。
【発明の効果】
【０００７】
この発明は、以上説明したように、携帯電話と無線通信により接続され、携帯電話を介して携帯電話の通信相手との間で音声入力手段及び音声出力手段を用いてハンズフリー通話を行うハンズフリー装置において、携帯電話との間の無線通信を制御する通信手段、携帯電話と無線通信により接続されている状態で、携帯電話に着信があった場合に、通信手段を介して携帯電話から着信音が転送されるかどうかを判定する着信音転送判定手段、及びこの着信音転送判定手段の判定結果に応じて着信音を生成して出力する着信音生成手段を備えたので、着信音を転送しない携帯電話への着信時には、ハンズフリー装置が、転送が無いことを自動的に判断し、ハンズフリー装置が着信音を生成し、ユーザーに確実に着信を伝えることができる。
【発明を実施するための最良の形態】
【０００８】
実施の形態１．
以下、添付図面を参照しながら本発明の目的、特徴、そして長所を実施例を通して詳細に説明する。
図１は、この発明の実施の形態１によるハンズフリー装置の構成を示すブロック図である。
図１において、携帯電話とのＢｌｕｅｔｏｏｔｈ通信により、ハンズフリー通話する機能を備えたハンズフリー装置１０は、ハンズフリー装置１０内の各機能を制御する主制御部１１と、Ｂｌｕｅｔｏｏｔｈ通信を行うための車載アンテナ１２と、電波を送受信してＢｌｕｅｔｏｏｔｈ通信を行う送受信部１３と、Ｂｌｕｅｔｏｏｔｈの通信制御を行うＢｌｕｅｔｏｏｔｈ通信制御部１４（通信手段）と、携帯電話からの着信音転送有無を判定する着信音転送判定部１５（着信音転送判定手段）と、着信音の生成を行う着信音生成部１６（着信音生成手段）と、着信音の音量を制御する音量調節部１７（音量調節手段）と、着信音及びマイク１９からの入力音声信号をデジタル信号処理する入出力音制御部１８と、音声を入力するためのマイク１９（音声入力手段）と、拡声及び着信音を出力するためのスピーカ２０（音声出力手段）と、操作のためのガイダンスや着信情報を表示する液晶パネルからなる表示器２１と、発着呼時の要求、応答や電話番号などの入力等を行うキーパッド２２とにより構成されている。
【０００９】
主制御部１１は、マイクロコンピュータ等により構成され、ハンズフリー装置１０全体の制御を行うとともに、Ｂｌｕｅｔｏｏｔｈ通信制御部１４、着信音転送判定部１５、着信音生成部１６、音量調節部１７、入出力音制御部１８、表示器２１の動作を制御する。また、キーパッド２２からの情報が入力される。マイクロコンピュータは、ＲＯＭ、ＲＡＭ、及びＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）などの電気的に書換可能な不揮発性メモリを備え、主制御部１１のプログラム、通信制御データ、さらにハンズフリー装置１０の識別コード等の種々のデータを記憶する。主制御部１１は、ハンズフリー通話機能による着信動作、発信動作及び終話動作を行うように制御する。
【００１０】
送受信部１３は、Ｂｌｕｅｔｏｏｔｈ通信を行うための機能部であり、Ｂｌｕｅｔｏｏｔｈ通信制御部１４によって制御され、マイク１９から入力された音声信号を送受信無線周波数（ＲＦ）に変調してアンテナ１２から輻射する送信機、アンテナ１２からの送受信無線周波数（ＲＦ）帯の信号を受信する受信機、多重化された信号を変調し、変調された信号を送受信機に出力するとともに、送受信機により無線受信された信号を復調する変復調部、パワーアンプ等からなる。
【００１１】
着信音転送判定部１５は、携帯電話からの着信音転送の有無を判定する。すでに、携帯電話とハンズフリー装置１０との間で、Ｂｌｕｅｔｏｏｔｈによるハンズフリー接続がなされている場合、携帯電話に着信があった際に、Ｂｌｕｅｔｏｏｔｈ通信を介して、携帯電話からの着信を示す信号がハンズフリー装置１０に転送される。着信音を転送する携帯電話では、この着信を示す信号の後に着信音がハンズフリー装置１０に転送されるが、着信音を転送しない携帯電話の場合には、着信を示す信号のみが転送される。着信音転送判定部１５は、着信を示す信号の次に受信したデータが、着信音であるか否かをデータ列から判断し、着信音でないデータ列の場合には、着信音が転送されないと判定する。
着信音生成部１６は、ユーザーが予め設定したブザー、音声、音響、音楽データなどの着信音を、不揮発性メモリから読出すことにより生成する。この読み出された着信音データは、入出力制御部１８で、デジタル／アナログ変換され、アナログ音声信号とし、スピーカ２０から出力される。
【００１２】
入出力音制御部１８は、着信音及びマイク１９からの入力音声信号をデジタル信号処理するもので、マイク１９からの入力音声信号は、増幅器で必要に応じて入力音声信号の増幅処理が行われる。この入出力音制御部１８でデジタル信号処理された受信信号は、この増幅器で必要に応じて増幅処理が行われ、スピーカ２０によって音声出力される。
また、入出力音制御部１８は、通話回線からのエコーを消去するためのエコーキャンセラ機能を制御するエコーキャンセラ装置を備えている。すなわち、受話器から出た音声が壁等に反射して送話器に入り、音響エコーとなる。この現象は、ハンズフリー装置１０で、スピーカから音量を上げて放音された音声が、感度の良いマイクで拾われることにより顕著に発生する。このようなエコーを除去し、通話品質の向上を図るために、入出力音制御部１８は、反響路のインパルス応答の推定値を内部に持ち、受信信号との畳込み演算によりエコーを推定して擬似エコーを発生し、それを送信信号から差し引くことにより、エコーを消去する適応形エコーキャンセラを備えている。
【００１３】
以下、上述のように構成されたハンズフリー装置１０の動作について、図２を用いて説明する。
図２は、この発明の実施の形態１によるハンズフリー装置の着信時の動作を示すフローチャートであり、このフローチャートは主制御部１１により実行される。
まず、図２の動作が行われる前に、携帯電話と、ハンズフリー装置１０との間で、Ｂｌｕｅｔｏｏｔｈによるハンズフリー接続がなされている必要がある。
図２で、ハンズフリー装置１０が、待ち受け状態にあるとき、まず、ステップＳ１００で、着信があるか否かを判別する。着信した場合には、ステップＳ２００で、携帯電話から着信音が転送されてくるか否かを判別する。携帯電話から着信音が転送されない場合には、ステップ３００で、ユーザーがあらかじめ設定した着信音を生成する。
ステップＳ４００で、生成した着信音を送出する。
【００１４】
ステップＳ５００で、ユーザーからの着信音量の調節操作があるか否かを判別する。着信音量の調節操作があったときには、ステップＳ６００で、音量の調節を行う。ステップＳ７００で、オフ・フックの操作があるか否かを判別し、オフ・フック操作があるまで、着信音を出力しつづける。ユーザーがキーパッド２２に設けてあるオフ・フックボタン押下で着信応答となる。
次いで、ステップＳ８００で、着信音を停止し、通話状態に入る。この時、ハンズフリー通話となり、受話音量レベル、送話音量レベル共に増幅器によって増幅され、ハンズフリー通話を可能とする音量レベルを確保する。同時に、入出力音制御部１８によってエコーキャンセル等ハンズフリー通話に必要な処理を行う。
【００１５】
実施の形態１によれば、以上のように、ハンズフリー装置１０は、無線通信機の各機能を制御する主制御部１１、Ｂｌｕｅｔｏｏｔｈ通信制御部１４、携帯電話からの着信音転送有無を判定する着信音転送判定部１５、着信音の生成を行う着信音生成部１６、入出力音制御部１８、拡声及び着信音を出力するためのスピーカ２０を備え、主制御部１１は、着信時に携帯電話からの着信音転送有無に応じて、携帯電話からの着信音または、ハンズフリー装置が生成する着信音との切り換えをおこない、ユーザーに確実に着信を通報することができる。
したがって、着信音を転送しない携帯電話への着信時には、ハンズフリー装置が、転送が無いことを自動的に判断し、ハンズフリー装置が着信音を生成し、ユーザーに確実に着信を伝えることができる。
【００１６】
また、着信音は音量調節を可能とし、ユーザーの好みの音量に調節できる。車内で用いる場合でも、他の騒音があろうとも、確実に着信をユーザーに伝えることができる。
さらに、生成する着信音にはブザー、音声、音響、音楽を使用でき、ユーザーの好みに合わせることができる。
【図面の簡単な説明】
【００１７】
【図１】この発明の実施の形態１によるハンズフリー装置の構成を示すブロック図である。
【図２】この発明の実施の形態１によるハンズフリー装置の着信時の動作を示すフローチャートである。
【符号の説明】
【００１８】
１０  ハンズフリー装置
１１  主制御部
１２  車載アンテナ
１３  送受信部
１４  Ｂｌｕｅｔｏｏｔｈ通信制御部
１５  着信音転送判定部
１６  着信音生成部
１７  音量調節部
１８  入出力音制御部
１９  マイク
２０  スピーカ
２１  表示器
２２  キーパッド
【図１】
2005303834.tif 000003
【図２】
2005303834.tif 000004